(57)【要約】【課題】後側の制御装置に対するプラグの差し込み時に、前側の制御装置のケース体が橈むのを抑制し、電子部品の故障発生を防止し得る遊技機を提供する。【解決手段】表示制御装置５２は、第１ケース体７９に表示制御基板７５および表示データ基板７６を収容して構成される。カバー部材８１の後側に統括駆動装置１０４が重ねて配設される。カバー部材８１の後壁８９の内面に、複数の第１リブ９９が縦横に延在するように形成されると共に、表示制御基板７５に実装された各種電子部品と干渉しない位置に複数の突部８９ｂが突設される。突部８９ｂの突出寸法は、後壁８９に負荷が加わっていない状態では表示制御基板７５の実装面と接触することなく、負荷によって後壁８９が表示制御基板７５側へ橈んだ際には第１リブ９９が電子部品に接触する前に実装面に当接するよう設定される。【選択図】図１６
2010227425.tif 000002
【特許請求の範囲】
【請求項１】
機裏側に臨む取付部材に、各種電子部品が実装される基板および電子部品が実装される実装面を後方に向けた状態で該基板を収容するケース体からなる複数の制御装置が前後方向に重ねて配設されると共に、少なくとも後側に位置する制御装置の基板には、各種電子部品に電気的に接続して接続口が後方に開口するソケットが設けられ、配線に接続されたプラグがソケットの接続口に後方から着脱自在に差し込まれるよう構成される遊技機において、
少なくとも後側に別の制御装置が重ねて配設される前側の制御装置におけるケース体には、別の制御装置が設置される壁における基板の実装面に対向する内面に、該基板に実装されている電子部品と接触しない突出寸法に設定された複数のリブが縦横に延在するように形成されると共に、該壁の内面における電子部品と干渉しない位置に、常には基板の実装面と接触することなく、前記壁に加わる負荷によって該壁が基板側へ橈んだ際に前記リブが電子部品に接触する前に基板の実装面に当接する突出寸法に設定される複数の突部が形成される
ことを特徴とする遊技機。
【請求項２】
前記ケース体に、複数の基板が、前後方向に離間すると共に前側の基板の一部が後側の基板の端縁から側外方に延出する状態で収容され、ケース体の前記壁の内面には、後側の基板における前側の基板の一部が側外方に延出する端縁の外方に臨む位置に、後側の基板の該端縁に沿って延在する別のリブが、当該後側の基板より前側に突出して形成される請求項１記載の遊技機。
【請求項３】
前記ケース体に対して基板は弾性体を介して取付けられる請求項１または２記載の遊技機。
【発明の詳細な説明】
【技術分野】
【０００１】
この発明は、機裏側に臨む取付部材に、各種電子部品が実装される基板および電子部品の実装面を後方に向けた状態で基板を収容するケース体からなる複数の制御装置が前後方向に重ねて配設される遊技機に関するものである。
【背景技術】
【０００２】
例えば遊技機の代表例の一つであるパチンコ機では、その基本構成として、縦長方形の外枠の開口前面側に、各種の必要な遊技構成部材が搭載されて遊技盤を収容セットした中枠を開閉(横開き)および着脱可能に組付けると共に、遊技盤の前面を透視保護するガラスユニットを組付けた前枠を、中枠に対して開閉(横開き)および着脱可能に組付けて１台単位で構成される。
【０００３】
またパチンコ機は、機内にセットされる遊技盤に形成された可視表示部に、機裏側に配設した液晶式やドラム式等の図柄表示装置の表示部を臨ませ、この図柄表示装置で図柄組み合わせゲームやリーチ演出等の主たる遊技演出を行なうようになっている。前記遊技盤の裏側には、各種演出や遊技用のプログラムが格納された制御用ＲＯＭ、各種データが格納されたデータ用ＲＯＭ、制御用ＲＯＭに格納されたプログラムを実行するＣＰＵ、その他各種電子部品が実装された制御基板を保護用の基板ケース内に収容した制御装置が配設されている。
【０００４】
前記制御装置は、制御対象となる制御対象品、例えばランプやスピーカ等に対応して個別に構成されて、これら複数の制御装置が、遊技盤や図柄表示装置の裏側に配置されている。この場合において、遊技盤や図柄表示装置の裏側のスぺースは限られているため、スぺースを有効利用するために前記複数の制御装置は、前後方向に重なるように配置されている(例えば、特許文献１参照)。
【先行技術文献】
【特許文献】
【０００５】
【特許文献１】特開２００４−８１３９９号公報
【発明の概要】
【発明が解決しようとする課題】
【０００６】
前記遊技盤や図柄表示装置の裏側に配置される各種の制御装置では、基板に、各種電子部品に電気的に接続して接続口が後方に開口するソケットが設けられ、制御対象品や主制御装置等に接続する配線に設けられるプラグが、基板ケースに設けた挿入口を介してソケットの接続口に後方から差し込まれるよう構成されている。前記ソケットに対するプラグの差し込み方向は、前後方向となっているため、後側に位置する制御装置のソケットに対して配線のプラグを差し込む際には、前側に位置する制御装置を押す方向に力が加わり、該前側の制御装置の基板ケースが橈んで、該ケース自体が収容されている電子部品に接触してしまい、電子部品の故障の原因となるおそれがあった。
【０００７】
そのため、前側に位置する制御装置に対する後側の制御装置の配設位置については、前側の制御装置の基板に実装されている電子部品の配設位置と、後側の制御装置のソケットの位置とを考慮して設定する必要があり、設計の自由度が低いものであった。また、後側の制御装置の配設位置が限定されることから、前側の制御装置の後側のスペースを充分に有効利用し得ない難点も指摘される。
【０００８】
すなわち本発明は、従来の技術に係る遊技機に内在する前記課題に鑑み、これを好適に解決するべく提案されたものであって、後側の制御装置に対するプラグの差し込み時に、前側の制御装置のケース体が橈むのを抑制し、電子部品の故障発生を防止し得る遊技機を提供することを目的とする。
【課題を解決するための手段】
【０００９】
前記課題を克服し、所期の目的を達成するため、本願の請求項１に係る発明は、
機裏側に臨む取付部材(13)に、各種電子部品(139,140)が実装される基板(75,105)および電子部品(139,140)が実装される実装面を後方に向けた状態で該基板(75,105)を収容するケース体(79,106)からなる複数の制御装置(52,104)が前後方向に重ねて配設されると共に、少なくとも後側に位置する制御装置(104)の基板(105)には、各種電子部品に電気的に接続して接続口(109a)が後方に開口するソケット(109)が設けられ、配線に接続されたプラグがソケット(109)の接続口(109a)に後方から着脱自在に差し込まれるよう構成される遊技機において、
少なくとも後側に別の制御装置(104)が重ねて配設される前側の制御装置(75)におけるケース体(79)には、別の制御装置(104)が設置される壁(89)における基板(75)の実装面に対向する内面に、該基板(75)に実装されている電子部品(139,140)と接触しない突出寸法に設定された複数のリブ(99)が縦横に延在するように形成されると共に、該壁(89)の内面における電子部品(139,140)と干渉しない位置に、常には基板(75)の実装面と接触することなく、前記壁(89)に加わる負荷によって該壁(89)が基板(75)側へ橈んだ際に前記リブ(99)が電子部品(139,140)に接触する前に基板(75)の実装面に当接する突出寸法に設定される複数の突部(89b)が形成されることを特徴とする。
【００１０】
請求項１の発明によれば、前側の制御装置のケース体における後側に別の制御装置が重ねて設置される壁の内面に複数のリブを縦横に延在するように形成したから、該壁の強度を高めて、後側の制御装置のソケットに対するプラグの差し込み時に加わる力によって壁が橈むのを抑制することができ、壁が電子部品に接触して故障が発生するのを防止し得る。また、壁の内面における電子部品と干渉しない位置に、壁に加わる負荷によって該壁が基板側へ橈んだ際に前記リブが電子部品に接触する前に基板の実装面に当接する突出寸法に設定される複数の突部を形成したから、壁が橈んだとしてもリブが電子部品に接触するのを防止して、故障の発生を確実に防ぐことができる。すなわち、前側の制御装置の基板に実装されている電子部品の配設位置と、後側の制御装置のソケットの位置とを考慮することなく制御装置を重ねて配置することができるから、設計の自由度が高くなると共に、前側の制御装置の後側のスペースを有効利用し得る。
【００１１】
請求項２に係る発明では、前記ケース体(79)に、複数の基板(75,76)が、前後方向に離間すると共に前側の基板(76)の一部が後側の基板(75)の端縁から側外方に延出する状態で収容され、ケース体(79)の前記壁(89)の内面には、後側の基板(75)における前側の基板(76)の一部が側外方に延出する端縁の外方に臨む位置に、後側の基板(75)の該端縁に沿って延在する別のリブ(100)が、当該後側の基板(75)より前側に突出して形成されることを要旨とする。
請求項２の発明によれば、ケース体の壁の内面に、後側の基板における前側の基板の一部が側外方に延出する端縁の外方に臨む位置に、後側の基板より前側に突出する別のリブを形成したから、壁の強度をより高くすることができ、該壁の橈みを更に抑制し得る。
【００１２】
請求項３に係る発明では、前記ケース体(79)に対して基板(75)は弾性体(117)を介して取付けられることを要旨とする。
請求項３の発明によれば、ケース体に対して基板を弾性体を介して取付けるよう構成したから、前記突部が基板に当接した際に該基板に加わる負荷を軽減することができる。また、遊技機の製造出荷後の輸送時、あるいはパチンコホール設置後の通常使用時に発生する振動が基板に伝わるのを弾性体で軽減することができ、振動に起因する電子部品の不具合の発生を抑制し得る。しかも、前記リブの電子部品への接触を防止する前記突部は、常には基板に接触しないよう構成してあるから、該突部を介して基板に振動が伝わることもなく、弾性体の振動軽減作用が損なわれることはない。
【発明の効果】
【００１３】
本発明に係る遊技機によれば、制御装置の電子部品の故障発生を防止し得ると共に、複数の制御装置をスペース効率よく配置することができる。                        
【図面の簡単な説明】
【００１４】
【図１】実施例に係るパチンコ機を示す正面図である。
【図２】実施例に係るパチンコ機を示す背面図である。
【図３】実施例に係るパチンコ機から前枠および遊技盤を取外した状態で示す正面図である。
【図４】実施例に係る遊技盤の正面図である。
【図５】実施例に係る遊技盤の背面図である。
【図６】実施例に係る遊技盤を、透明板と裏ユニットとを分離した状態で示す概略側面図である。
【図７】実施例に係る裏ユニットを前側から見た斜視図である。
【図８】実施例に係る遊技盤を、裏ユニットから図柄表示装置等を取外した状態で示す背面図である。
【図９】実施例に係る図柄表示装置の背面図である。
【図１０】実施例に係る裏ユニットの要部を示す概略斜視図である。
【図１１】実施例に係る裏ユニットにおけるロック部材の配設部位を示す要部概略斜視図である。
【図１２】実施例に係る裏ユニットにおけるロック部材の配設部位を示す要部背面図である。
【図１３】実施例に係るロック部材を前側から見た概略斜視図である。
【図１４】実施例に係るロック部材を後側から見た概略斜視図である。
【図１５】実施例に係る表示制御装置を示す背面図である。
【図１６】図１５のＡ−Ａ線断面図である。
【図１７】図１５のＢ−Ｂ線断面図である。
【図１８】実施例に係るカバー部材を内側から見た概略斜視図である。
【図１９】実施例に係る金属板材を後側から見た概略斜視図である。
【図２０】実施例に係る表示制御装置を、第１ケース体からカバー部材を取外した状態で示す背面図である。
【図２１】実施例に係る表示制御装置を、第１ケース体からカバー部材および表示制御基板を取外した状態で示す背面図である。
【図２２】実施例に係る金属板材、ベース部材および弾性体の関係を示す断面図である。
【図２３】実施例に係る弾性体を第１保持部側から見た図である。
【発明を実施するための形態】
【００１５】
次に、本発明に係る遊技機につき、好適な実施例を挙げて、添付図面を参照して以下に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤３３(図４参照)を着脱可能に保持された本体枠としての中枠１２が開閉および着脱可能に組付けられて、該遊技盤３３の裏側に対して、各種図柄を変動表示可能な図柄表示装置(取付部材)１３が着脱し得るよう配設されている。また、前記中枠１２の前面側には、前記遊技盤３３を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１７】
(中枠について)
図３に示すように、前記中枠１２は、上縁をなす上枠部材１７と、下縁をなし、スピーカや打球発射装置、操作ハンドル２１等が設置された下枠部材１８と、左側縁をなす左枠部材１９と、右側縁をなす右枠部材２０とから構成されて、これら上下左右の枠部材１７,１８,１９,２０を組付けた際に、全体が前記外枠１１の開口に整合する矩形枠状に形成される。そして、前記上下左右の枠部材を組付けた際に前後に開口する開口部分が、前記遊技盤３３を設置する遊技盤保持部２２として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００１８】
また、図３に示すように、前記左枠部材１９の開口内側(遊技盤保持部２２側)には、上下に離間する位置に、前記遊技盤３３の左側端部を回転および着脱可能に保持する回転保持具２３,２３が複数設けられると共に、上下の枠部材における右端部(右枠部材２０側)に、固定位置および固定解除位置に回転可能な固定具２４,２４が夫々設けられており、該固定具２４,２４により遊技盤３３の右側上下端部を中枠１２に固定し得るようになっている。すなわち、前記遊技盤３３を中枠１２に配設するには、該遊技盤３３の左側端部を前記回転保持具２３,２３で保持した状態で、遊技盤３３の右側端部を押し込んで遊技盤３３の左側端部(回転保持具２３,２３)を中心に回動させて遊技盤３３の全体を遊技盤保持部２２に臨ませて、前記固定具２４,２４を固定位置に回転変位させて遊技盤３３の右側上下端部を支持固定する。このように、実施例に係る遊技盤３３は、前記中枠１２と同様に、左側端部が回転中心となるよう支持される。
【００１９】
図２または図３に示すように、前記上枠部材１７の裏側には、設置枠台等に設けられた外部球供給設備から供給されるパチンコ球を貯留する球タンク２５が、該上枠部材１７の左右幅の略全幅に亘って設けられている。この球タンク２５は、前記遊技盤保持部２２に配設された遊技盤３３の裏側上部に重なるよう形成されており、遊技盤３３の上下寸法を最大限大きくし得るようになっている(図６参照)。また、前記下枠部材１８の裏側には、前記上下の球受け皿１５,１６に連通する球供給路および設置枠台に設けた球回収樋に連通する球排出路(何れも図示せず)が夫々形成されたセット部材２６が配設されている。なお、前記球タンク２５とセット部材２６とは、両部材間に架設された球通路ユニット２７(図３参照)を介して連通接続されており、該球通路ユニット２７に配設された球払出し装置２７ａの駆動により球タンク２５に供給されたパチンコ球を前記上下の球受け皿１５,１６へ給出するよう構成されている。
【００２０】
前記セット部材２６には、図２に示すように、パチンコ機１０の電源制御を行なう電源装置２８、前記球通路ユニット２７に配設した球払出し装置２７ａを駆動制御する払出し制御装置２９、前記打球発射装置を駆動制御する発射制御装置３０、外部端末に接続されるインターフェース基板３１等が配設されている。なお、これらの各装置２８,２９,３０,３１は、前記遊技盤３３の裏側に配設される主制御装置３２に配線接続され、該主制御装置３２からの制御信号に基づいて所定の制御を実行するようになっている。
【００２１】
(遊技盤について)
前記中枠１２の遊技盤保持部２２に配設される前記遊技盤３３は、図４,図５または図６に示すように、前面(盤面)にパチンコ球が流下可能な遊技領域３４が画成され、アクリルやポリカーボネート等の光透過性の合成樹脂材からなる平板状の透明板３５と、該透明板３５の裏面に組付けられて前記図柄表示装置１３が着脱可能に配設されると共に、不透明な合成樹脂材で形成された裏ユニット３６とから構成され、該裏ユニット３６に形成された前後に開口する開口部３６ａを介して図柄表示装置１３の表示面を前面側から視認し得るよう構成されている。裏ユニット３６に形成される開口部３６ａは、該裏ユニット３６の上下および左右幅の大部分が開口する大型の開口部である。なお、前記透明板３５および裏ユニット３６は、外郭形状が略整合する大きさおよび形状に形成されて、該透明板３５と裏ユニット３６とを組付けた状態で透明板３５の裏面を裏ユニット３６で全面的に覆うよう構成され、前側から遊技盤３３(裏ユニット３６)の裏側を視認し得ないようになっている。
【００２２】
(透明板について)
図１または図４に示すように、前記透明板３５の前面には、左方に膨出する円弧状に形成した案内レール３７が配設されると共に、該案内レール３７の右方位置に、左端縁を右方に凹む円弧状に形成した第１盤面飾り部材３８ａが配設されている。そして、前記案内レール３７および第１盤面飾り部材３８ａにより前記遊技領域３４が略円形状に画成される。また、前記透明板３５の盤面には、前記案内レール３７の左方(遊技領域３４の外側)の上下位置に第２盤面飾り部材３８ｂが夫々が配設されている。前記第１および第２盤面飾り部材３８ａ,３８ｂ,３８ｂの夫々は、不透明な合成樹脂材から形成されており、透明板３５において該第１および第２盤面飾り部材３８ａ,３８ｂ,３８ｂが配設された部分を除いた領域(すなわち遊技領域３４)で裏側(裏ユニット３６)を視認し得るよう構成されている。なお、前記透明板３５の遊技領域３４内には、多数の遊技釘(図示せず)が植設されており、該遊技領域３４を流下するパチンコ球の接触により流下方向を不規則に変更させ得るよう構成してある。
【００２３】
前記透明板３５の下方位置には、前記遊技領域３４を流下するパチンコ球が入賞可能な始動入賞装置３９や特別入賞装置４０が配設されており、始動入賞装置３９の始動入賞口へのパチンコ球の入賞を契機として、所定数のパチンコ球が賞球として前記上下の下球受け皿１５,１６に払い出されると共に前記図柄表示装置１３の表示面において図柄変動演出が開始され、該図柄変動演出の結果、図柄表示装置１３の表示面に所定の図柄組み合わせ(例えば同一図柄の三つ揃い等)で図柄が停止表示されることで所謂「大当り」が発生し、これにより特別入賞装置４０へのパチンコ球の入賞が許容されて多数の賞球を獲得し得るようになっている。なお、透明板３５には、特別入賞装置４０の左右両側には普通入賞装置４７が配設されている。
【００２４】
(枠状装飾体について)
前記透明板３５には、前記裏ユニット３６に形成された開口部３６ａの前側に前後に貫通する貫通口３５ａ(図４参照)が形成されており、該貫通口３５ａに対して前後に開口する枠状の枠状装飾体４１が配設されている。すなわち、前記裏ユニット３６の開口部３６ａから臨む前記図柄表示装置１３の表示面は、前記枠状装飾体４１における前後に開口する窓口４１ａを介して透明板３５の前側に露出して、該図柄表示装置１３の表示面で展開される図柄変動演出を前側から視認し得るようになっている。また、枠状装飾体４１には、上縁部から左右両縁部に亘り、透明板３５より前面に突出する円弧状の庇状部４１ｂが設けられており、前記遊技領域３４に打ち出されたパチンコ球が枠状装飾体４１の窓口４１ａを横切って流下するのを庇状部４１ｂで規制している。更に、枠状装飾体４１には、窓口４１ａの下側に、ステージ４３が配設されると共に、窓口４１ａの左側に、遊技領域３４を流下するパチンコ球をステージ４３に案内する球通路部４４が設けてある。
【００２５】
(裏ユニットの全体の構成について)
前記裏ユニット３６は、図７に示すように、前方に開口する矩形箱状に形成された箱状本体４５と、該箱状本体４５の開口前端部に形成されて当該箱状本体４５の開口外側へ延出し、前記透明板３５の裏面に当接する固定盤部４６とから構成されており、該固定盤部４６の外郭形状が前記透明板３５の外郭形状に略整合する大きさおよび形状に形成されている。そして、前記固定盤部４６の前面を透明板３５の裏面に当接した状態で、図示しないネジを介して透明板３５に裏ユニット３６を固定することで遊技盤３３が構成される。また、透明板３５の裏側に裏ユニット３６を取付けた遊技盤３３では、該裏ユニット３６の箱状本体４５と透明板３５との間に所要の空間が画成され、該空間に各種の演出装置が配設され、これら演出装置が、前記主制御装置３２の制御下に後述する統括制御装置５４により制御される。
【００２６】
(図柄表示装置について)
前記遊技盤３３に配設される図柄表示装置１３は、図５または図９に示すように、各種図柄を表示可能な液晶パネル５０が収容ケース５１に収容されたユニット部材であって、該収容ケース５１の裏面に、液晶パネル５０の表示を制御する表示制御装置(制御装置)５２や液晶パネル５０のバックライトを制御するインバータ基板５３が配設される。更に、前記表示制御装置５２およびインバータ基板５３の裏面側には、前記各種演出装置を制御する統括制御装置５４が前後に重なるよう配設されている。そして、統括制御装置５４の制御信号に基づいて表示制御装置５２が制御を実行して液晶パネル５０の表示面で図柄変動ゲームが行なわれると共に、各種演出装置での演出が行なわれる。なお、前記統括制御装置５４も前記主制御装置３２に配線接続され、該主制御装置３２からの制御信号に基づいて制御を実行するよう設定される。また統括制御装置５４は、前記電源装置２８に電気的に接続されている。
【００２７】
前記収容ケース５１の左側面(左右の一方側面)の前端に、側方(左側面から離間する方向)へ突出する板状の係止突部５１ａ,５１ａが上下に離間する２箇所に設けられている(図９では右側)。この係止突部５１ａは、前記遊技盤３３の裏側に設けられる後述の左側壁部５８(図８、図１０等参照)と係脱可能に係止されるようになっている。また、前記収容ケース５１の裏面には、右側面(左右の他方側面側)の上下端部に、後方へ突出する受け部５５,５５が夫々形成されており、遊技盤３３の裏側に設けた後述のロック部材６４,６４(図５、図８、図１１、図１２等参照)が対応の受け部５５,５５に対して係脱可能に係止されるようになっている。
【００２８】
(裏ユニットの裏側の構成について)
前記裏ユニット３６の裏面には、図８に示す如く、前記開口部３６ａを囲繞する位置に、上壁部５６、下壁部５７、左側壁部５８および右側壁部(移動規制手段)５９が後方に突出するように立設されている。そして、これら４つの壁部５６,５７,５８,５９によって、前記図柄表示装置１３が設置される設置領域Ｓが略矩形状に画成される。すなわち、上壁部５６が設置領域Ｓの上辺を区画し、下壁部５７が設置領域Ｓの下辺を区画し、左側壁部５８が設置領域Ｓの左辺を区画し、右側壁部５９が設置領域Ｓの右辺を区画して、こられ４つの壁部５６,５７,５８,５９によって、設置領域Ｓに設置された図柄表示装置１３の上下および左右方向の移動を規制するよう構成される。なお、設置領域Ｓに対応する裏ユニット３６の裏面について、以後は設置面６０と指称する。
【００２９】
前記設置領域Ｓを画成する上下の壁部５６,５７の離間寸法は、前記図柄表示装置１３の上下幅寸法と略一致するよう設定される。また、前記左側壁部５８における設置領域Ｓ側である内面には、前記開口部３６ａ側に突出する当接案内片６１が、上下に離間する複数箇所に設けられている。この当接案内片６１には、基端部側(設置面６０に近接する根元部)に位置して前記図柄表示装置１３の左側面に当接する当接面６１ａと、該当接面６１ａの後端に連設されて後方へ向かうにつれて開口部３６ａから離間する方向へ傾斜する案内面６１ｂとが設けられている。そして、設置領域Ｓを画成する左右の側壁部５８,５９は、該右側壁部５９から前記当接案内片６１の当接面６１ａまでの離間寸法が、前記図柄表示装置１３の左右幅寸法と略一致するよう設定されている。すなわち、設置領域Ｓへの図柄表示装置１３の設置時には、前記当接案内片６１の案内面６１ｂに当接した図柄表示装置１３の左側面を、該案内面６１ｂで当接面６１ａへ向けて誘導するようになっている。
【００３０】
前記図柄表示装置１３の係止突部５１ａが設けられる左側面に対応する前記左側壁部５８には、図１０に示す如く、各係止突部５１ａが挿脱可能な差込み口５８ａが、設置領域Ｓ側に開口するよう形成されている。この差込み口５８ａは、設置領域Ｓに対して図柄表示装置１３を設置する際に、該図柄表示装置１３の左端部を設置面６０に近接すると共に右端部を設置面６０から離間した傾斜姿勢の状態で、前記収容ケース５１の左側面に形成した係止突部５１ａの挿入を許容し、収容ケース５１の前面を設置面６０に当接する姿勢としたときに、該差込み口５８ａの後縁を画成する左側壁部５８に係止突部５１ａが当接して位置規制されるよう設定される。
【００３１】
(台座部について)
前記上壁部５６および下壁部５７における右端部には、後述するロック部材６４が回動自在に配設される台座部６２が夫々設けられている。両台座部６２,６２の構成は基本的には上下対称であるので、上壁部５６に設けられる台座部６２の構成についてのみ説明し、下壁部５７に設けられる台座部６２と同一部位には同じ符号を付して詳細な説明を省略する。
【００３２】
前記台座部６２の後端面(後方への突出端面)には、図１１または図１２に示す如く、左右方向に離間する一対のボス６３,６３が、後方に向けて突設され、右側(右側壁部５９に近接する側で図１１では左側)のボス６３に、ロック部材６４が回動自在に取付けられるよう構成される。各ボス６３には後面に開口するネジ孔が形成されており、ボス６３,６３の後端に固定金具６５をネジ止め固定することで、該固定金具６５によりロック部材６４が台座部６２に対して回動可能な状態で保持されるようになっている。なお、固定金具６５をボス６３,６３にネジ止めした状態で、ロック部材６４は、後述する係止位置および解除位置での姿勢を維持し得る程度の力で、台座部６２の後面と固定金具６５との間に挟持されるよう設定してある。またロック部材６４が取付けられるボス６３について、特に区別する場合は、以後支持ボスと指称する。
【００３３】
前記台座部６２の後端面には、ロック部材６４が配設される支持ボス６３の右側(一側方)に、該ロック部材６４に設けられる後述する規制突部７３の回動軌跡に沿って延在する凹部６６が前側に向けて凹設されている。また台座部６２の後端面には、支持ボス６３の下側(下側の台座部６２では支持ボス６３の上側)において、前記ロック部材６４が係止位置に臨んだ際に、前記規制突部７３が係止される係止凹部６７が前側に向けて凹設されている。更に、台座部６２の後端面には、前記係止凹部６７の上側に、弾性変形可能な規制片６８が後方に向けて所定長さで突設されている。この規制片６８は、ロック部材６４が係止位置と解除位置との間を回転する際に、該ロック部材６４の後述する当接面部６９における摘み部７１が設けられていない側における左右一方の角部が当接する位置に設けられる。また規制片６８は、ロック部材６４が解除位置から係止位置または係止位置から解除位置に回転する際には、当接面部６９の一方の角部が当接し際に弾性変形して、該ロック部材６４の係止位置への回転および解除位置への回転を許容するが、ロック部材６４が解除位置に至ったときには当接面部６９の側端面に当接して回転を規制することで、ロック部材６４を解除位置に位置決めするよう構成される。
【００３４】
(ロック部材について)
図１１または図１２に示すように、前記台座部６２の後端面には、図柄表示装置１３の前記受け部５５の後面に当接して後方移動を規制する移動規制手段としてのロック部材６４,６４が配設されている。なお、両台座部６２,６２に配設されるロック部材６４,６４の基本的な構成は同一であるので、下側のロック部材６４について説明し、上側のロック部材６４に関しては、同一の符号を付して詳細な説明を省略する。
【００３５】
前記ロック部材６４は、図１１または図１２に示す如く、前記台座部６２の支持ボス６３に一端部が枢支されたレバー状部材であって、該支持ボス６３から上方に突出して前記図柄表示装置１３における受け部５５の後面に当接係止可能な係止位置(図１２の実線位置)と、該台座部６２上で支持ボス６３から右側壁側に延在して該図柄表示装置１３との係止状態が解除された解除位置(図１２の二点鎖線位置)の夫々の間を回転変位させるようになっている。ロック部材６４は、図１３または図１４に示すように、前記図柄表示装置１３の受け部５５に当接可能な平面矩形状に形成された当接面部６９と、該当接面部６９の後面側における長手方向の一端部側に設けられて後方へ突出する軸受部７０と、当接面部６９の後面側において軸受部７０から長手方向の他端部側に延在し、後方へ突出する摘み部７１とから断面略Ｔ字状に形成されており、軸受部７０および当接面部６９に亘って前後に貫通するよう形成された通孔７２に、前記支持ボス６３が回動可能に挿通されることで、該ロック部材６４が台座部６２に取付けられる。そして、摘み部７１を摘んでロック部材６４を回転操作することで、該ロック部材６４を前記係止位置および解除位置の間で回転させ得るようになっている。なお、前記摘み部７１は、長手方向の略中央位置において窪むよう湾曲しており、摘み部７１を摘み易くなっている。
【００３６】
前記当接面部６９の前面側には、ロック部材６４の係止位置において、前記軸受部７０の下側(設置領域Ｓ側)において左右に離間して一対の規制突部７３,７３が前方に向けて突設されている。この規制突部７３,７３は、ロック部材６４を係止位置から解除位置に向けて回転(図１２において反時計方向への回転、上側のロック部材６４では時間方向への回転)する際には、前記台座部６２の凹部６６の側壁に沿って案内されつつ移動し、ロック部材６４が解除位置に至ったときには、凹部６６の上下の端縁に位置するよう設定される。また、ロック部材６４を解除位置から係止位置に向けて回転し、該ロック部材６４が係止位置に至ったときには、回転方向前側(図１２では右側)に位置する一方の規制突部７３が、前記台座部６２の係止凹部６７に当接係止されてロック部材６４の回転を規制し、該ロック部材６４を係止位置に位置決めするよう構成される。なお、ロック部材６４が解除位置に至ったときには、当接面部６９の側端面(図１２で右側を向く側端面)が前記規制片６８に当接してロック部材６４の回転が規制されて、該ロック部材６４が解除位置に位置決めされるようになっている。
【００３７】
ここで、前記ロック部材６４を前記係止位置に変位した状態において、前記設置領域Ｓの設置面６０から当接面部６９までの離間寸法が、前記図柄表示装置１３の前面(収容ケース５１の前面)から受け部５５までの前後の厚み寸法より僅かに短かく設定されている。すなわち、前記図柄表示装置１３を前記設置面６０に当接させた状態では、係止位置に変位した状態で当接面部６９が受け部５５に当接するロック部材６４の弾性によって係止される。
【００３８】
なお、前記箱状本体４５の裏面側には、前記設置領域Ｓの下方位置(下壁部５７より下方)に下部中継基板７４が配設されており(図５参照)、該下部中継基板７４に対して、前記各種演出装置からの配線が接続されている。この下部中継基板７４には、前記図柄表示装置１３の裏側に配設した前記主制御装置３２および統括制御装置５４からの配線が接続されており、前記各種演出装置を、主制御装置３２からの制御信号に基づいて統括制御装置５４が制御し得るようになっている。
【００３９】
（表示制御装置について）
前記表示制御装置５２は、前記液晶パネル５０での表示を制御する表示制御基板(基板)７５および表示データ基板(基板)７６、その他複数の中継基板(基板)７７,７８を、図１５,図１６または図１７に示すような第１ケース体(ケース体)７９に収容保護してケース単位で取り扱い得るようになっている。この第１ケース体７９は、前記図柄表示装置１３の裏面に対向するようセットされる皿状のベース部材８０と、このベース部材８０の開口面側(後側)に対して着脱可能に組み付けられるカバー部材８１とから構成され、両者共に透明な合成樹脂材により一体成形されて、前記表示制御基板７５、表示データ基板７６および複数の中継基板７７,７８をベース部材８０内に金属板材(支持部材)８２を介して敷設状態で収容すると共に、前記カバー部材８１で覆蓋保護するようになっている。
【００４０】
（第１ケース体について）
前記ベース部材８０は、前記図柄表示装置１３に対向する矩形の平板状に形成された前壁８３と、該前壁８３の上下および左右の端縁から後方に向けて立設された上壁８４、下壁８５、左壁８６および右壁８７とから、後方に開口する矩形皿状に形成されている。また、ベース部材８０の左壁８６に、上下方向に離間して複数の係合片８６ａが側外方に延出するよう形成されると共に、該ベース部材８０の右壁８７には、上下方向に離間して複数の係止爪８７ａが側外方に向けて突設されている。これに対し、前記カバー部材８１は、図１６または図１７に示す如く、ベース部材８０の前壁８３と対向する後壁(壁)８９と、該後壁８９の上下および左右の端縁から前方に向けて立設された上壁９０、下壁９１、左壁９２および右壁９３とから、前方に開口する矩形皿状に形成されている。また、カバー部材８１の左壁９２に、前記各係合片８６ａと対応する位置に、該係合片８６ａを挿脱可能な係合孔９２ａが形成されると共に、該カバー部材８１の右壁９３には、前記各係止爪８７ａと対応する位置に、前側に延出する弾性変形可能な係止片９３ａが形成されると共に、該係止片９３ａに係止爪８７ａが係脱自在に係止する係止孔９３ｂが形成されている。そして、各係合片８６ａを係合孔９２ａに挿通したカバー部材８１の係止孔９３ｂに、対応する係止爪８７ａを夫々係止することで、ベース部材８０に対してカバー部材８１は、前壁８３と後壁８９とが前後に離間して対向する状態で着脱自在に取付けられる。
【００４１】
前記ベース部材８０の前壁８３における内面(金属板材８２の配設面)には、複数箇所(実施例では４箇所)に後述する弾性体１１７を配設するための配設ボス(間隔保持手段)８８(後述)が立設され(図１８,図２２参照)、該配設ボス８８にはネジ孔８８ａが形成されている。そして、複数の配設ボス８８に配設した弾性体１１７を介して金属板材８２が、ベース部材８０に対して浮いた状態(直接接触しない状態)で配設されるよう構成される。
【００４２】
前記ベース部材８０とカバー部材８１との組み付け状態において、該カバー部材８１の後壁８９には、金属板材８２に配設されている表示制御基板７５およびインバータ用中継基板７７に設けられた各ソケット１４２,１４５(後述)に対応する位置に挿通口８９ａが夫々が形成され(図１６参照)、各挿通口８９ａを介して各ソケット１４２,１４５に対応する配線のプラグ(何れも図示せず)が着脱自在に差し込み接続されるよう構成される。また、ベース部材８０とカバー部材８１の上壁８４,９０間に、金属板材８２に配設される液晶用中継基板７８に設けられたソケット１４６(後述)に対応する位置に挿通口９５が形成され、該挿通口９５を介してソケット１４６に対応する配線のプラグ(図示せず)が着脱自在に差し込み接続されるよう構成される。なお、カバー部材８１の上壁９０および下壁９１には、複数の空気孔９４が穿設されており、第１ケース体７９内への外部空気の取込みおよび内部空気の排出が可能に構成してある。
【００４３】
前記ベース部材８０における左壁８６の前端縁に、図２０または図２１に示す如く、板状の第１差込片８６ｂが側外方に延出するよう形成されている。また、前記カバー部材８１における上下の壁９０,９１における右壁９３に近接する位置(ベース部材８０における第１差込片８６ｂの形成側とは反対側)に、第１連結部９６が夫々形成される。これに対し、前記図柄表示装置１３における収容ケース５１の裏面における左端側に、前記第１差込片８６ｂが挿脱可能に差し込み得る差込口が右方に向けて開口する第１受部５１ｂが設けられると共に、該収容ケース５１の右端側には、上下に離間して一対の第１被連結部５１ｃ,５１ｃが設けられている(図９参照)。そして、ベース部材８０の第１差込片８６ｂを第１受部５１ｂに差し込んで係合すると共に、各第１連結部９６を対応する第１被連結部５１ｃに整合したもとで、第１連結部９６および第１被連結部５１ｃを第１連結具(所謂ナイラッチ)９７で連結することで、図柄表示装置１３に対して表示制御装置５２が取付けられる。なお、第１連結具９７による第１連結部９６と第１被連結部５１ｃとの連結を解除することで、表示制御装置５２は図柄表示装置１３から取外すことができる。
【００４４】
前記カバー部材８１における後壁８９の裏側には、左右幅方向の略中央から左側に、一段前側に凹む設置部９８が設けられ(図１５,図１７参照)、該設置部９８に後述する統括駆動装置１０４が着脱自在に配設されるようになっている。すなわち、設置部９８には、右端部に統括駆動装置１０４に設けた第２差込片１０６ａが挿脱可能に差し込み得る差込口が左端側に向けて開口する第２受部９８ａが設けられると共に、該設置部９８の左端側には、統括駆動装置１０４に設けた第２連結具(所謂ナイラッチ)１０７が連結可能な第２被連結部９８ｂが設けられている(図１５参照)。
【００４５】
（カバー部材のリブおよび突部について）
前記カバー部材８１における後壁８９の内面(表示制御基板７５や表示データ基板７６の実装面と対向する面)に、図１８に示すように複数の第１リブ(リブ,補強部)９９が、縦横(上下方向および左右方向)に延在するように形成されている。上下方向に延在する第１リブ９９および左右方向に延在する第１リブ９９は、図１８に示す如く、相互に交差または連設されると共に、対応する上下の壁９０,９１または左右の壁９２,９３に連設され、後壁８９の剛性(強度)を高めて、該後壁８９が前後方向に橈み難くしてある。そして、前記表示制御基板７５(実装面)と対向する位置に形成される第１リブ９９の突出寸法は、図１７に示す如く、前記ベース部材８０にカバー部材８１を取付けた状態で、該表示制御基板７５の実装面に実装されている後述する制御用ＲＯＭ１３９やＣＰＵ１４０、その他の各種電子部品に接触しない値に設定される。
【００４６】
また、前記カバー部材８１における後壁８９の内面には、前記第１ケース体７９内に後述するように前後に離間して配設される前記表示制御基板７５と表示データ基板７６とがなす段部に臨む位置でかつ前記設置部９８の前側には、図１６または図１７に示す如く、後壁８９に近接する表示制御基板７５の端縁(実施例では左端縁)の外方を、該端縁に沿って上下方向に延在する第２リブ(別のリブ,補強部)１００が、上壁９０と下壁９１との間に亘って形成されている。この第２リブ１００の突出寸法は、第１リブ９９の突出寸法より大きく、表示制御基板７５より前側(ベース部材８０の前壁８３側)に突出するよう設定される。すなわち、第１リブ９９より高く突出する第２リブ１００を、上壁９０と下壁９１との間に亘って形成することで、前記後壁８９の剛性をより高め、該後壁８９が前後方向に橈み難くしてある。しかも、第２リブ１００は、統括駆動装置１０４が取付けられる設置部９８に対応して設けられ、後述するように統括駆動装置１０４における統括駆動基板１０５の統括用ソケット１０８に対するプラグの差し込み時に加わる力による、後壁８９の撓みの発生をより抑制し得るようになっている。なお、第２リブ１００は、表示制御基板７５より前側に位置する表示データ基板７６の実装面に実装されている後述するデータ用ＲＯＭ１４３には接触しないよう設定される。
【００４７】
前記カバー部材８１における後壁８９の内面には、前記表示制御基板７５の実装面と対向する位置であって、該表示制御基板７５に実装された各種電子部品１３９,１４０と干渉しない位置に、複数の突部８９ｂが突設されている(図１６参照)。この突部８９ｂの突出寸法は、前記ベース部材８０にカバー部材８１が取付けられ、かつ該カバー部材８１の後壁８９に負荷が加わっていない状態では、表示制御基板７５の実装面と接触することなく、後壁８９に加わる負荷によって該後壁８９が表示制御基板７５側へ橈んだ際には、前記第１リブ９９が電子部品に接触する前に実装面に当接するよう設定される。これにより、第１リブ９９が電子部品に接触するのを確実に防止するよう構成してある。
【００４８】
（インバータ基板について）
前記インバータ基板５３は、前記表示制御装置５２の右側(図５では左側)に隣接して、前記図柄表示装置１３の裏面にネジ止め固定されている。また図柄表示装置１３の裏面には、インバータ基板５３を被覆し、裏面が前記表示制御装置５２の裏面と同一レベルか、より後方に突出するインバータカバー１０１が着脱自在に配設される。そして、インバータ基板５３は、前記表示制御装置５２に配設される前記インバータ用中継基板７７にコネクタ接続される。
【００４９】
（統括制御装置について）
前記インバータカバー１０１の裏面に、図５に示す如く、前記統括制御装置５４が着脱自在に配設されている。この統括制御装置５４は、各種演出装置での演出を統括的に制御する統括制御基板１０２を、第２ケース体１０３に収容保護してケース単位で取り扱い得るよう構成される。なお、インバータカバー１０１に対する統括制御装置５４の取付け手段は、前記図柄表示装置１３と表示制御装置５２との取付け手段と同様に、差込片、連結部、受部、被連結部および連結具が用いられる。
【００５０】
（統括駆動装置について）
前記表示制御装置５２の裏面に、図５に示す如く、前記統括制御装置５４にコネクタ接続される統括駆動装置(別の制御装置)１０４が着脱自在に配設される。この統括駆動装置１０４は、前記統括制御装置５４からの制御信号に基づいて各種演出装置での演出を行なわせる統括駆動基板(基板)１０５を、第３ケース体(ケース体)１０６に収容保護してケース単位で取り扱い得るよう構成される。第３ケース体１０６には、右端側に、前記表示制御装置５２に設けられた前記第２受部９８ａの差込口に挿脱可能な板状の第２差込片１０６ａが側外方に延出するよう形成されると共に、左端側に、表示制御装置５２に設けられた前記第２被連結部９８ｂに連結可能な第２連結部１０６ｂが形成される。そして、第３ケース体１０６の第２差込片１０６ａを第２受部９８ａに差し込んで係合すると共に、第２連結部１０６ｂを第２被連結部９８ｂに整合したもとで、第２連結部１０６ｂおよび第２被連結部９８ｂを第２連結具１０７で連結することで、表示制御装置５２の裏面に統括駆動装置１０４が重なった状態で取付けられる。なお、第２連結具１０７による第２連結部１０６ｂと第２被連結部９８ｂとの連結を解除することで、統括駆動装置１０４は表示制御装置５２から取外すことができる。
【００５１】
前記統括駆動基板１０４における第３ケース体１０６で覆われていない部位に、接続口が右側方(統括制御装置５４側)に開口する複数の統括用ソケット１０８が設けられ、各統括用ソケット１０８に、前記統括制御基板７５に接続する統括用配線のプラグ(何れも図示せず)が夫々側方から着脱自在に差し込まれる。また、統括駆動基板１０５における第３ケース体１０６で覆われていない部位に、接続口１０９ａが後方に開口する複数の中継用ソケット(ソケット)１０９が設けられ、各中継用ソケット１０９に、前記下部中継基板７４に接続する中継用配線のプラグ(図示せず)が夫々後方から着脱自在に差し込み接続されるようになっている。
【００５２】
（金属板材について）
前記第１ケース体７９に対する各基板７５,７６,７７,７８の支持部材として機能する前記金属板材８２は、図１９,図２０,図２１または図２２に示す如く、前記ベース部材８０に収容可能な寸法で形成された略矩形で平板状の設置板１１０と、該設置板１１０の上下および左右の端縁を後方に向けて折曲形成した上辺部１１１、下辺部１１２、左辺部１１３および右辺部１１４とから基本的に構成される。そして、第１ケース体７９における前記ベース部材８０の前壁８３に設置板１１０を対向した姿勢で、後述する弾性体１１７を介して取付けられると共に、ベース部材８０およびカバー部材８１の内面に金属板材８２の全体が直接接触しない状態で第１ケース体７９に収容されるよう構成される(図１６,図１７参照)。
【００５３】
前記金属板材８２の設置板１１０には、複数箇所に装着部１１５,１１６が形成され、該装着部１１５,１１６に着脱自在に取付けられた弾性体１１７を介して、前記ベース部材８０の前壁８３に対して設置板１１０が直に接触しない状態で取付けられる。実施例では、設置板１１０における３つの隅部における端縁位置、残る１つの隅部に近接する端縁位置、および残る１つの隅部に近接して端縁から離間する位置の夫々に装着部１１５,１１６が形成されている。なお、各装着部１１５,１１６の構成は基本的には同じであるが、形成位置によって若干異なるので、端縁位置に形成される装着部１１５については第１装置部と指称し、端縁から離間する位置に形成される装着部１１６については第２装着部と指称するものとする。
【００５４】
（第１装着部について）
前記第１装着部１１５は、図１９に示す如く、前記弾性体１１７の後述する小径嵌合部１１７ｂの直径より小さい開口寸法で設置板１１０の端縁側に開口する入口部１１８と、該小径嵌合部１１７ｂの直径と略同一内径の収容部１１９とを有する。そして、隅部に近接する端縁位置に形成されている第１装着部１１５は、設置板１１０の中央点を通る線分に対して他の第１装着部１１５とは非線対称となる位置に設けられる。実施例では、右端側の上隅部の近傍に形成される第１装着部１１５が、他の第１装着部１１５と非線対称となっている(図２１参照)。また、各第１装着部１１５の入口部１１８は、金属板材８２の左端縁または右端縁に開口するよう設定され、各入口部１１８に対応する左右の辺部１１３,１１４には、外方からの弾性体１１７の挿入を許容する切欠部１２０が形成されている。なお、第１装着部１１５の入口部１１８の開口方向は、左右に限らず上下であってもよく、該入口部１１８の開口方向に応じて対応する辺部に切欠部を形成すればよい。
【００５５】
（第２装着部について）
前記設置板１１０には、３つの第１装着部１１５とは非線対称の関係となっている第１装着部１１５が近接する隅部を構成する端縁から離間する位置に、弾性体１１７の後述する第１および第２保持部１２３,１２４の直径より大きい開口寸法の抜き孔１２１が形成される。そして、設置板１１０における抜き孔１２１に隣接する位置に第２装着部１１６が形成されている。この第２装着部１１６は、弾性体１１７の小径嵌合部１１７ｂの直径より小さい開口寸法で抜き孔１２１側に開口する入口部１１８と、該小径嵌合部１１７ｂの直径と略同一内径の収容部１１９とを有する。そして、抜き孔１２１を介して入口部１１８に小径嵌合部１１７ｂを臨ませた弾性体１１７を、収容部１１９側に移動することで、第２装着部１１６に弾性体１１７が取付けられるようになっている。なお、実施例の第２装着部１１６は、他の全ての第１装着部１１５との関係で、設置板１１０の中央点を通る線分に対して非線対称となっている。また実施例では、設置板１１０の中央点を通る線分に対して線対称の関係となっている３つの第１装着部１１５と第２装着部１１６とに夫々弾性体１１７を取付けて、前記ベース部材８０に金属板材８２を取付ける場合で説明するが、４つの第１装着部１１５に夫々弾性体１１７を取付けて、ベース部材８０に金属板材８２を取付けるようにしてもよいことは勿論である。そして、少なくとも１つの非線対称の関係となる装着部１１５,１１６を用いることで、ベース部材８０に対して金属板材８２を取付ける際に、該金属板材８２の裏表および上下を反転した誤った姿勢で取付けるのを防止するよう構成されるものである。なお、他の第１装着部１１５と非線対称となる第１装着部１１５および第２装着部１１６については、目印用の第１装着部１１５および目印用の第２装着部１１６と指称する場合もある。
【００５６】
前記設置板１１０に形成される各装着部１１５,１１６は、前記ベース部材８０の前壁８３に突設した配設ボス８８と夫々対応して、設置板１１０を前壁８３に対向した状態では、各装着部１１５,１１６の略中央に対応する配設ボス８８が臨むように設定される。
【００５７】
（弾性体について）
前記金属板材８２の各装着部１１５,１１６に取付けられる弾性体１１７は、図２２または図２３に示すように全体が円筒状に形成され、軸中心に形成される通孔１１７ｃに、前記ベース部材８０に突設した配設ボス８８が挿通されるようになっている。また弾性体１１７は、軸方向の中間位置の外周に周溝１１７ａが形成され、該周溝１１７ａによって形成された小径嵌合部１１７ｂの軸方向の両側に、該小径嵌合部１１７ｂより大径円筒状の第１保持部１２３および第２保持部１２４が形成される。そして、小径嵌合部１１７ｂを前記装着部１１５,１１６の収容部１１９に嵌合して金属板材８２に取付けた際に、該金属板材８２における前記ベース部材８０の前壁８３から離間する側の面(カバー部材８１側の面)に第１保持部１２３が当接すると共に、該金属板材８２におけるベース部材８０の前壁８３と対向する側の面に第２保持部１２４が当接するよう構成される。
【００５８】
前記第１保持部１２３における金属板材８２から離間する端面に、複数の第１突起１２３ａが、周方向に離間して突設される。また第２保持部１２４における金属板材８２から離間する端面に、複数の第２突起１２４ａが、周方向に離間して突設される。第１突起１２３ａおよび第２突起１２４ａは、何れも弾性体１１７の前記通孔１１７ｃに近接する位置、および外周縁に近接する位置において周方向に離間して突設される(図２３参照)。但し、通孔１１７ｃに近接する位置に設けられる突起１２３ａ,１２４ａの数が、外周縁に近接する位置に設けられる突起１２３ａ,１２４ａの数より多く設定してある。
【００５９】
前記弾性体１１７において、前記通孔１１７ｃに近接する位置の第１突起１２３ａと第２突起１２４ａは、軸方に整列するよう設定されるのに対し、外周縁に近接する位置の第１突起１２３ａと第２突起１２４ａとは、軸方向に整列しないよう設定される。また第１突起１２３ａおよび第２突起１２４ａは、突出端部が円弧状に形成されて、後述するフランジ付きネジ１２５の支持部１２５ａおよびベース部材８０に対する接触面積が小さくなるよう構成される。なお、弾性体１１７は、振動吸収性を有するウレタンゴム、その他高減衰特性を有する各種合成樹脂等を採用することができる。
【００６０】
（フランジ付きネジについて）
前記弾性体１１７を介して金属板材８２をベース部材８０に取付ける取付手段としてのフランジ付きネジ１２５は、図２２に示す如く、前記弾性体１１７の第１突起１２３ａに接触可能な支持部１２５ａと、該支持部１２５ａにおける第１突起１２３ａとの接触面に延設されるネジ部１２５ｂとを有する。そして、金属板材８２に取付けた弾性体１１７の通孔１１７ｃに配設ボス８８を挿通させると共に第２突起１２４ａをベース部材８０の前壁８３に接触させた状態で、該配設ボス８８のネジ孔８８ａにフランジ付きネジ１２５のネジ部１２５ｂを螺挿することで、支持部１２５ａと金属板材８２とで第１保持部１２３を挟み、かつ前壁８３と金属板材８２とで第２保持部１２４を挟んだ状態で、ベース部材８０に金属板材８２が取付けられる。
【００６１】
（配設ボスについて）
前記ベース部材８０に突設した配設ボス８８は、前記フランジ付きネジ１２５のネジ部１２５ｂを配設ボス８８のネジ孔８８ａに螺挿した際に、前記支持部１２５ａが配設ボス８８の突出端(後端)に当接して、該支持部１２５ａとベース部材８０の前壁８３との離間間隔を一定に保持するよう構成される。また、配設ボス８８の軸方向長さは、前記弾性体１１７の軸方向の長さ寸法と略同一に設定される。これにより、配設ボス８８に外嵌した弾性体１１７を、配設ボス８８に螺着したフランジ付きネジ１２５を介してベース部材８０の前壁８３に取付けた状態で、該弾性体１１７の第１突起１２３ａおよび第２突起１２４ａは対応する支持部１２５ａおよび前壁８３に対して点接触するか、または僅かに潰れた状態で接触するよう構成される。
【００６２】
（金属板材の固定部について）
前記金属板材８２には、前記複数の基板７５,７６,７７,７８の固定部１２８,１２７,１２６,１２６が設けられ、対応の固定部１２８,１２７,１２６,１２６に基板７５,７６,７７,７８が、一部が前後方向に重なるようにして配設される。実施例では、前記設置板１１０の右下隅部に、インバータ用中継基板７７が固定部１２６を介して固定されると共に、左上隅部に液晶用中継基板７８が固定部１２６を介して固定される(図２１参照)。また設置板１１０における上側において、液晶用中継基板７８に重なるように後方に離間して表示データ基板７６が、左右方向の略全長に亘って固定部１２７を介して固定される。更に、設置板１１０における右側に偏った位置において、前記液晶用中継基板７８、インバータ用中継基板７７および表示データ基板７６の夫々と一部が重なるように後方に離間して表示制御基板７５が固定部１２８を介して固定される(図２０参照)。実施例では、両中継基板７７,７８の固定部１２６を第１固定部と指称し、表示データ基板７６の固定部１２７を第２固定部と指称し、表示制御基板７５の固定部１２８を第３固定部と指称するものとする。
【００６３】
（第１固定部について）
前記両中継基板７７,７８を固定する第１固定部１２６は、図１９に示す如く、複数のネジ孔１２９から構成され、中継基板７７,７８に形成した通孔１３０に挿通したネジＳＣを対応するネジ孔１２９に螺挿することで、該中継基板７７,７８は、後述するソケット１４５,１４６の配設面(実装面)とは反対の反実装面が設置板１１０に当接した状態で固定される(図１６,図１７参照)。また設置板１１０における両中継基板７８,７８の固定位置には、該設置板１１０から立上がる第１規制片１３２が設けられ、該第１規制片１３２が中継基板７７,７８の対応する側縁に形成した凹状の第１規制部１３３に係合することで、該中継基板７７,７８の固定位置に対する位置決めがなされるよう構成してある。なお、設置板１１０において、各中継基板７７,７８の実装面における各種電子部品やソケット１４５,１４６が実装されている領域に対応する位置に開口部１１０ａが夫々設けられている。
【００６４】
（第２固定部について）
前記表示データ基板７６を固定する第２固定部１２７は、前記設置板１１０の左端部において上下に離間して立設された一対の固定ボス１３４,１３４と、前記上辺部１１１の右端側に偏った位置および右片部１１４から設置面側に延出する前取付片１３５、および設置板１１０の右端側に偏った位置に設けられて所定高さで立上がった後に設置板１１０と平行に折曲されたＬ字状の前取付片１３６とから構成され、これら固定ボス１３４および各前取付片１３５,１３６にはネジ孔１３４ａ,１３５ａ,１３６ａが形成されている(図１９参照)。また、固定ボス１３４および各前取付片１３５,１３６の後端は同一平面に臨むよう設定される。そして、これら固定ボス１３４および各前取付片１３５,１３６の後端に表示データ基板７６の後述するデータ用ＲＯＭ１４３の実装面とは反対の反実装面を当接した状態で、該表示データ基板７６に形成した通孔７６ａに挿通したネジＳＣを対応するネジ孔１３４ａ,１３５ａ,１３６ａに螺挿することで、該表示データ基板７６は、図１６または図１７に示す如く、反実装面が前記液晶用中継基板７８から後方に離間した状態で固定される。また設置板１１０に設けられた前取付片１３６には、第２規制片１３６ｂが後方に向けて折曲形成されており、該第２規制片１３６ｂが表示データ基板７６の対応する側縁に形成した凹状の第２規制部７６ｂに係合することで、該表示データ基板７６の固定位置に対する位置決めがなされるよう構成してある。
【００６５】
（第３固定部について）
前記表示制御基板７５を固定する第３固定部１２８は、前記上辺部１１１の左右方向の中間および右片部１１４の上下方向の中間において設置板側に延出する後取付片１３７と、設置板１１０の右上隅部および中央に設けられて所定高さで立上がった後に設置板１１０と平行に折曲されたＬ字状の後取付片１３８とから構成され、これら後取付片１３７,１３８にはネジ孔１３７ａ,１３８ａが形成されている(図１９参照)。また各後取付片１３７,１３８の後端は、前記前取付片１３５,１３６の後端より後方において同一平面に臨むよう設定される。そして、各後取付片１３７,１３８の後端に表示制御基板７５の後述する制御用ＲＯＭ１３９等の電子部品の実装面とは反対の反実装面を当接した状態で、該表示制御基板７５に形成した通孔７５ａに挿通したネジＳＣを対応するネジ孔１３７ａ,１３８ａに螺挿することで、該表示制御基板７５は、図１６または図１７に示す如く、反実装面が前記表示データ基板７６から後方に離間した状態で固定される。また、設置板１１０の中央に設けられた後取付片１３８には、第３規制片１３８ｂが後方に向けて折曲形成されており、該第３規制片１３８ｂが表示制御基板７５の対応する位置に形成した孔状の第３規制部７５ｂに挿入係合することで、該表示制御基板７５の固定位置に対する位置決めがなされるよう構成してある。なお、金属板材８２の右片部１１４には、前記表示制御基板７５に設けられるソケット１４２の近接位置の反実装面を支持する支持片１１４ａが形成されている。
【００６６】
（表示制御基板について）
矩形状に形成された前記表示制御基板７５には、図２０に示す如く、遊技に関するプログラムが格納(記憶)される制御用ＲＯＭ(電子部品)１３９、該プログラムを実行するＣＰＵ(電子部品)１４０、その他の各種電子部品１４７が、裏側を向く実装面に実装されている。表示制御基板７５の前側を向く反実装面には、前記表示データ基板７６と重なる位置に差込端子１４１が突設されている。また表示制御基板７５は、前記液晶用中継基板７８にコネクタ接続される。更に、表示制御基板７５の実装面には、前記カバー部材８１の後壁８９に形成された挿通口８９ａに対応する位置に、接続口を後方に向けて開口したソケット１４２が配設され、前記下部中継基板７４に接続する図示しない配線のプラグが該ソケット１４２に後方から差し込まれて接続されるようになっている。
【００６７】
（表示データ基板について）
矩形状に形成された前記表示データ基板７６には、図２１に示す如く、前記制御用ＲＯＭ１３９に格納されているプログラムによって実行されるデータが格納(記憶)される複数のデータ用ＲＯＭ(電子部品)１４３が、裏側を向く実装面に着脱交換自在に実装されている。表示データ基板７６の実装面には、前記表示制御基板７５の差込端子１４１と対応する位置に、該差込端子１４１が挿脱可能な差込受部１４４が設けられており、表示制御基板７５を前記後取付片１３７,１３８に反実装面を当接した状態で、差込端子１４１が差込受部１４４に差し込まれて電気的に接続するよう構成される(図１６参照)。表示データ基板７６の一部は、図１６,図１７または図２０に示す如く、前記表示制御基板７５の左端縁から側外方に延出して、該延出部分にデータ用ＲＯＭ１４３が実装されて、該表示制御基板７５を取外すことなくデータ用ＲＯＭ１４３を交換し得るようになっている。なお、表示制御基板７５の実装面と、該表示制御基板７５の前側に離間して位置する表示データ基板７６における延出部の実装面とにより、前側に凸となる段部が形成され、該段部に、前記カバー部材８１に形成された前記第２リブ１００が臨むよう構成される。
【００６８】
（インバータ用中継基板について）
前記表示制御基板７５にコネクタ接続される前記インバータ用中継基板７７における表示制御基板７５と対向する実装面には、該表示制御基板７５と前後に重なる位置に、各種の電子部品(図示せず)が実装されている。表示制御基板７５とインバータ用中継基板７７との離間寸法(前記第３固定部１２８を構成する後取付片１３７,１３８の後端位置)は、該インバータ用中継基板７７に実装される電子部品が表示制御基板７５に接触しない値に設定してある。またインバータ用中継基板７７における表示制御基板７５と前後に重ならない位置の実装面に、接続口を後方に向けて開口するソケット１４５が配設され(図２０参照)、該ソケット１４５には、前記インバータ基板５３に接続する配線のプラグ(図示せず)が、前記カバー部材８１に形成された挿通口８９ａを介して着脱自在に差し込み接続されるよう構成される。
【００６９】
（液晶用中継基板について）
前記表示制御基板７５にコネクタ接続される前記液晶用中継基板７８は、図２１に示す如く、前記表示データ基板７６と全体的に重なるように配置されており、該液晶用中継基板７８の表示データ基板７６と対向する実装面には、各種の電子部品(図示せず)が実装されている。表示データ基板７６と液晶用中継基板７８との離間寸法(前記第２固定部１２７を構成する固定ボス１３４や前取付片１３５,１３６の後端位置)は、該液晶用中継基板７８に実装される電子部品が表示データ基板７６に接触しない値に設定してある。また、液晶用中継基板７８の上端部には、接続口を上方(基板の実装面に沿う方向)に向けて開口するソケット１４６が配設され、該ソケット１４６には、前記図柄表示装置１３に接続する配線のプラグ(図示せず)が、前記ベース部材８０およびカバー部材８１の上壁８４,９０に形成された挿通口９５を介して着脱自在に差し込み接続されるよう構成される。なお、前記金属板材８２の上辺部１１１には、液晶用中継基板７８のソケット１４６と対応する位置に挿通部１１１ａが開設されている(図１９参照)。
【００７０】
〔実施例の作用〕
次に、前述した実施例に係るパチンコ機１０の作用につき説明する。
【００７１】
(金属板材に対する基板の取付けについて)
前記金属板材８２の設置板１１０における右下隅部に、前記インバータ用中継基板７７を、反実装面を設置板１１０に対向する姿勢で、該インバータ用中継基板７７に形成した前記第１規制部１３３に設置板１１０に設けた前記第１規制片１３２を係合することで位置決めする(図２１参照)。そして、インバータ用中継基板７７の通孔１３０に挿通したネジＳＣを、前記第１固定部１２６の対応する各ネジ孔１２９に螺挿することで、図１６に示す如く、インバータ用中継基板７７は設置板１１０に反実装面が当接した状態で固定される。また、金属板材８２の設置板１１０における左上隅部に、前記液晶用中継基板７８を、反実装面を設置板１１０に対向する姿勢で、該液晶用中継基板７８に形成した前記第１規制部１３３に設置板１１０に設けた前記第１規制片１３２を係合することで位置決めする(図２１参照)。そして、液晶用中継基板７８の各通孔１３０に挿通したネジＳＣを、前記第１固定部１２６の対応する各ネジ孔１２９に螺挿することで、図１７に示す如く、液晶用中継基板７８は設置板１１０に反実装面が当接した状態で固定される。
【００７２】
前記金属板材８２に設けた各固定ボス１３４および各前取付片１３５,１３６の後端に、前記表示データ基板７６の反実装面を当接すると共に、該表示データ基板７６に形成した前記第２規制部７６ｂに前取付片１３６に形成した前記第２規制片１３６ｂを係合することで、表示データ基板７６は設置板１１０から離間した位置に位置決めされる(図１７参照)。そして、表示データ基板７６の各通孔７６ａに挿通したネジＳＣを、対応する各前取付片１３５,１３６のネジ孔１３５ａ,１３６ａに螺挿することで、表示データ基板７６は、前記液晶用中継基板７８の後方に離間して重なる状態で固定される(図２１参照)。
【００７３】
次に、前記金属板材８２に設けた各後取付片１３７,１３８の後端に、前記表示制御基板７５の反実装面を当接すると共に、該表示制御基板７５に形成した前記第３規制部７５ｂに後取付片１３８に形成した前記第３規制片１３８ｂを挿入係合することで、表示制御基板７５は設置板１１０から離間した位置に位置決めされる(図１６参照)。そして、表示制御基板７５の各通孔７５ａに挿通したネジＳＣを、対応する各後取付片１３７,１３８のネジ孔１３７ａ,１３８ａに螺挿することで、表示制御基板７５は、前記表示データ基板７６およびインバータ用中継基板７７の後方に離間して一部が重なる状態で固定される(図１６参照)。なお、表示制御基板７５を後取付片１３７,１３８の後端に位置決めすることで、該表示制御基板７５の反実装面に突設されている差込端子１４１が、表示データ基板７６の差込受部１４４に差し込まれ、両基板７５,７６は電気的に接続される。また、表示データ基板７６を金属板材８２に取付ける前に液晶用中継基板７８に一端を接続したケーブルの他端を、表示データ基板７６および表示制御基板７５の取付け後に、該表示制御基板７５に接続することで、表示制御基板７５と液晶用中継基板７８とは電気的に接続される。更に、表示制御基板７５とインバータ用中継基板７７とをコネクタ接続することで、金属板材８２に配設される全ての基板７５,７６,７７,７８は、所定の関係で電気的に接続される。
【００７４】
前述したように、複数の基板７５,７６,７７,７８は、対応する第１〜第３固定部１２６,１２７,１２８を介して金属板材８２に固定することで、前後方向で全てあるいは一部が重なる状態となる。すなわち、複数の基板７５,７６,７７,７８を前後方向に重ねて配置することで、基板７５,７６,７７,７８の設置スペースを小さくすることができ、表示制御装置５２のコンパクト化を図り得る。また、第１〜第３固定部１２６,１２７,１２８を介して複数の基板７５,７６,７７,７８を順次固定することで、各実装面に実装される制御用ＲＯＭ１３９,ＣＰＵ１４０,データ用ＲＯＭ１４３,他の電子部品１４７等の各種電子部品が相互に接触しない位置関係で基板７５,７６,７７,７８を固定し得る。
【００７５】
(金属板材の取付けについて)
前記表示制御装置５２における金属板材８２のベース部材８０に対する取付けについて説明する。前記複数の基板７５,７６,７７,７８が固定された金属板材８２に形成された３つの第１装着部１１５および１つの第２装着部１１６の夫々に、前記弾性体１１７を取付ける。すなわち、弾性体１１７の小径嵌合部１１７ｂを、各装着部１１５,１１６の入口部１１８から収容部１１９に押し込むことで、図２２に示す如く、金属板材８２の設置板１１０を第１保持部１２３と第２保持部１２４とで挟んだ状態で、該弾性体１１７は金属板材８２に取付けられる。この場合において、各装着部１１５,１１６における入口部１１８の開口寸法は、弾性体１１７の小径嵌合部１１７ｂの直径より小さく設定されているから、各装着部１１５,１１６に取付けた弾性体１１７が簡単に脱落することはなく、該金属板材８２を前記ベース部材８０に取付ける作業中に弾性体１１７が脱落して作業を中断する等の煩わしい事態が生ずることはなく、作業をスムーズに行ない得る。
【００７６】
前記４つの弾性体１１７を取付けた金属板材８２を、前記設置板１１０が前記ベース部材８０の前壁８３に対向する姿勢で、各弾性体１１７の通孔１１７ｃに該前壁８３に突設した対応する配設ボス８８が挿通するようにして仮に取付ける。この場合において、金属板材８２に設けられる目印用の第２装着部１１６は、他の第１装着部１１５に対して金属板材８２(設置板１１０)の中央点を通る線分に対して非線対称の関係としてあるから、ベース部材８０に対して金属板材８２の取付け向きが違っていると、第２装着部１１６に取付けられている弾性体１１７の通孔１１７ｃには配設ボス８８は挿通されず、金属板材８２の取付け向きが間違っていることを確実に判断し得る。
【００７７】
前記ベース部材８０に仮に取付けられた金属板材８２の各弾性体１１７の通孔１１７ｃに挿通されている配設ボス８８のネジ孔８８ａに、第１保持部１２３側から前記フランジ付きネジ１２５のネジ部１２５ｂを螺挿する。これにより、複数の基板７５,７６,７７,７８が固定された金属板材８２は、図１６,図１７,図２０または図２１に示す如く、前記設置板１１０の端縁に設けた各辺部１１１,１１２,１１３,１１４がベース部材８０の対応する壁８４,８５,８６,８７と接触しない適正な位置に取付けられる。
【００７８】
（第１ケース体の組み立てについて）
前記複数の基板７５,７６,７７,７８を固定した金属板材８２が取付けられた前記ベース部材８０の前記各係合片８６ａに、前記カバー部材８１の対応する前記係合孔９２ａを夫々挿通したもとで、該カバー部材８１をベース部材８０に近接することで、カバー部材８１の係止孔９３ｂにベース部材８０の係止爪８７ａが係止され、ベース部材８０に対してカバー部材８１が取付けられて第１ケース体７９が構成される(図１５参照)。すなわち、金属板材８２および複数の基板７５,７６,７７,７８は、第１ケース体７９内に収容される。このとき、前記金属板材８２は、図１６または図１７に示す如く、前記設置板１１０の端縁に設けた各辺部１１１,１１２,１１３,１１４がカバー部材８１の対応する壁９０,９１,９２,９３と接触しない状態で収容される。
【００７９】
（基板の振動対策について）
前記ベース部材８０に金属板材８２が取付けられた状態においては、図２２に示す如く、前記フランジ付きネジ１２５の支持部１２５ａに弾性体１１７の第１突起１２３ａが接触すると共に、ベース部材８０(前壁８３)に弾性体１１７の第２突起１２４ａが接触し、金属板材８２は、ベース部材８０に直に接触しない状態となっている。また、前述したように金属板材８２の設置板１１０の端縁に設けられる各辺部１１１,１１２,１１３,１１４についても、ベース部材８０の対応する壁８４,８５,８６,８７およびカバー部材８１の対応する壁９０,９１,９２,９３の何れとも接触していない。すなわち、金属板材８２は、弾性体１１７にのみ接触しており、ベース部材８０やカバー部材８１からの振動は、該弾性体１１７によって減衰されて金属板材８２が振動するのは抑制される。しかも、支持部１２５ａおよびベース部材８０には、弾性体１１７の突起１２３ａ,１２４ａのみが接触して、支持部１２５ａおよびベース部材８０に対する弾性体１１７の接触面積は小さいから、ベース部材８０、カバー部材８１およびフランジ付きネジ１２５から伝わる振動の弾性体１１７による吸収率は高くなり、金属板材８２に伝わる振動をより軽減することができる。
【００８０】
また、前記ベース部材８０の配設ボス８８のネジ孔８８ａにネジ部１２５ｂが螺挿されるフランジ付きネジ１２５は、図２２に示す如く、前記支持部１２５ａが配設ボス８８の後端に当接することで位置規制され、該支持部１２５ａとベース部材８０の前壁８３との間隔は一定に保持される。すなわち、作業者によってフランジ付きネジ１２５の締め込み量が変わることはなく、前記弾性体１１７の各突起１２３ａ,１２４ａが過度に潰れるのを防止して、前記弾性体１１７の支持部１２５ａおよびベース部材８０に対する接触圧を常に一定とし得る。これにより、弾性体１１７による振動吸収能力は常に一定となり、金属板材８２に伝わる振動を好適に減少させることができる。しかも、ベース部材８０に対して金属板材８２を取付ける手段である配設ボス８８が、支持部１２５ａとベース部材８０との間隔を一定に保持する機能を有するから、間隔を保持する手段を別途用いる必要はなく、部品点数を低減し得ると共に、ベース部材８０に対する金属板材８２の取付け作業が簡単となる。
【００８１】
前記表示制御装置５２を構成する複数の基板７５,７６,７７,７８を固定した金属板材８２は、前述したように、前記ベース部材８０およびカバー部材８１(第１ケース体７９)に対して弾性体１１７を介してのみ接触しているから、後述するように当該表示制御装置５２を取付けた図柄表示装置１３を遊技盤３３に配設した状態において、パチンコ機１０や遊技盤３３の運搬時や、外枠１１に対する中枠１２の開閉時等に図柄表示装置１３に生ずる振動が、表示制御装置５２を構成する複数の基板７５,７６,７７,７８に伝わるのを弾性体１１７で抑制できる。すなわち、特に表示制御基板７５に実装されている制御用ＲＯＭ１３９やＣＰＵ１４０、表示データ基板７６に実装されているデータ用ＲＯＭ１４３の接触不良の発生を抑制することができるから、図柄表示装置１３での演出に不具合が発生することはなく、遊技者が不利益を被ったり混乱するのを防止し得る。しかも、複数の基板７５,７６,７７,７８を固定した金属板材８２と、ベース部材８０とを弾性体１１７を介して取付けているから、各基板７５,７６,７７,７８毎に振動対策(弾性体１１７による取付け)を施す必要はなく、弾性体１１７の使用数を低減してコストを低廉にすることができる。なお、前記金属板材８２に対して弾性体１１７を取付けるための装着部として、前記設置板１１０に形成した抜き孔１２１を介して該設置板１１０の縁端から大きく離間する位置に設けた第２装着部１１６を採用することで、金属板材８２の中間位置(設置板１１０の上下または左右の端縁の間の位置)での防振を行ない得る。すなわち、設置板１１０の４隅部のみでなく、中間位置でも弾性体１１７によって金属板材８２を支持することができるから、金属板材８２(設置板１１０)の撓みによる振動を抑制することもできる。
【００８２】
（図柄表示装置に対する表示制御装置の取付けについて）
前述したように各基板７５,７６,７７,７８を第１ケース体７９に収容した表示制御装置５２は、前記ベース部材８０に形成した第１差込片８６ｂを、前記図柄表示装置１３に設けた第１受部５１ｂに差し込んで係合すると共に、前記カバー部材８１に形成した前記各第１連結部９６を、図柄表示装置１３に設けた対応する第１被連結部５１ｃに夫々整合する。この状態で、第１連結部９６および第１被連結部５１ｃを第１連結具９７で連結することで、図柄表示装置１３に対して表示制御装置５２が取付けられる(図５参照)。表示制御装置５２における図柄表示装置１３側に位置するベース部材８０に対向して金属板材８２が配設されるから、電気的なノイズの影響が当該金属板材８２に配設されている各種基板７５,７６,７７,７８に実装されている各種電子部品に及ぶのを防止し得る。
【００８３】
（表示制御装置に対する統括駆動装置の取付けについて）
前記統括駆動装置１０４は、前記第３ケース体１０６に形成した第２差込片１０６ａを、前記表示制御装置５２におけるカバー部材８１の設置部９８に設けた第２受部９８ａに差し込んで係合すると共に、第３ケース体１０６に形成した前記第２連結部１０６ｂを、表示制御装置５２のカバー部材８１の設置部９８に設けた第２被連結部９８ｂに整合する。この状態で、第２連結部１０６ｂおよび第２被連結部９８ｂを第２連結具１０７で連結することで、表示制御装置５２の設置部９８に統括駆動装置１０４が重なった状態で取付けられる(図５参照)。
【００８４】
なお、前記図柄表示装置１３の裏面における表示制御装置５２より右方に、前記インバータ基板５３をネジ止めすると共に、該インバータ基板５３を被覆するようにして図柄表示装置１３の裏面にインバータカバー１０１を取付ける。そして、該インバータカバー１０１の裏面に、前記統括制御装置５４を取付けることで、図柄表示装置１３の裏面に複数の制御装置が取付けられる。
【００８５】
（表示制御装置における電子部品の保護について）
前記表示制御装置５２の裏面に取付けられた前記統括駆動装置１０４では、前記統括駆動基板１０５に設けられる中継用ソケット１０９に、前記遊技盤３３に配設されている前記下部中継基板７４に接続する配線のプラグが後方から差し込み接続される。このとき、統括駆動装置１０４が配設される前記カバー部材８１には、プラグを中継用ソケット１０９に差し込む際の力が該カバー部材８１を前側に撓ませる方向に加わる。しかしながら、カバー部材８１の内面には、図１８に示す如く、複数の第１リブ９９が縦横に配設されて剛性が高められているから、統括駆動基板１０４の中継用ソケット１０９に対してプラグを差し込む際の力がカバー部材８１に加わっても、該カバー部材８１(後壁８９)が大きく撓むのを抑制できる。しかも、カバー部材８１の内面には、前記設置部９８に取付けた統括駆動装置１０４における統括駆動基板１０５の中継用ソケット１０９と対応する位置において、上下方向の全長に亘って突出寸法の大きな前記第２リブ１００が形成されているから、統括駆動基板１０４の中継用ソケット１０９に対するプラグの差し込み時に加わる力による撓みの発生をより抑制し得る。すなわち、カバー部材８１の後壁８９が内側に撓んで前記表示制御基板７５に実装されている制御用ＲＯＭ１３９、ＣＰＵ１４０等の各種電子部品に接触して故障が発生するのを防止し得る。
【００８６】
なお、前記第１ケース体７９の内部において表示制御基板７５と表示データ基板７６とを前後に離間して配設することで生ずる段部を利用して、突出寸法の大きな前記第２リブ１００を形成するようにしてあるから、前記カバー部材８１の深さ寸法(前後寸法)を大きくすることなく該第２リブ１００の突出寸法を大きくすることができる(図１６,図１７参照)。すなわち、第２リブ１００の突出寸法を大きくするためにカバー部材８１の深さ寸法を大きくする必要はなく、カバー部材８１の剛性を高めつつ第１ケース体７９(表示制御装置５２)の前後寸法を小さくすることができる。
【００８７】
また、前記カバー部材８１の内面には、前記第１リブ９９より突出寸法の大きな複数の突部８９ｂが突設されているから、統括駆動基板１０５の中継用ソケット１０９に対するプラグの差し込み時に加わる力によって仮に後壁８９が橈んだとしても、第１リブ９９が表示制御基板７５の制御用ＲＯＭ１３９、ＣＰＵ１４０等の各種電子部品に接触する前に該表示制御基板７５の実装面に前記突部８９ｂが当接して撓みを規制し得る。従って、第１リブ９９が制御用ＲＯＭ１３９、ＣＰＵ１４０等の各種電子部品に接触するのを確実に防止して、これら電子部品の故障の発生を防ぐことができる。すなわち、表示制御装置５２の表示制御基板７５に実装されている制御用ＲＯＭ１３９、ＣＰＵ１４０等の各種電子部品の配設位置と、統括駆動基板１０５の中継用ソケット１０９の位置とを考慮することなく表示制御装置５２の後側に統括駆動装置１０４を重ねて配置することができる。このように、統括駆動装置１０４の配設位置は限定されないから、設計の自由度が高くなると共に、表示制御装置５２の後側に別の制御装置を設置し得ないスペースが生じなくなることからスペースを有効利用し得る。
【００８８】
更に、前記表示制御装置５２のカバー部材８１に設けられる第１リブ９９、第２リブ１００および突部８９ｂは、該カバー部材８１の後壁８９に負荷が加わっていない通常状態においては、前記表示制御基板７５とは接触しないから、該リブ９９,１００や突部８９ｂを介して表示制御基板７５に振動が伝わることはない(図１６,図１７参照)。すなわち、前記リブ９９,１００や突部８９ｂによりカバー部材８１の剛性を向上すると共に表示制御基板７５に実装されている制御用ＲＯＭ１３９、ＣＰＵ１４０等の各種電子部品の故障発生を防止するもとで、カバー部材８１から表示制御基板７５に振動が伝わるのを防止し、前記各種電子部品の振動に起因する不良の発生を抑制し得る。
【００８９】
なお、前記金属板材８２における表示制御基板７５に設けられるソケット１４２に近接する位置に、該表示制御基板７５を前側から支持する支持片１１４ａを設けているから(図１６,図２０参照)、前記下部中継基板７４に接続する配線のプラグを該ソケット１４２に後方から差し込む際に、表示制御基板７５が撓むのを規制し、前側に重なって配置されている前記インバータ用中継基板７７に実装されている電子部品に表示制御基板７５が接触して故障を発生するのを防止し得る。
【００９０】
(遊技盤に対する図柄表示装置の着脱について)
次に、前記遊技盤３３(裏ユニット３６)に対する図柄表示装置１３の固定につき説明する。前記図柄表示装置１３を前記裏ユニット３６の設置面６０に対して斜めの姿勢としたもとで、該図柄表示装置１３の左側面に形成した一対の係止突部５１ａ,５１ａを裏ユニット３６の左側壁部５８に形成した対応の差込み口５８ａ,５８ａに挿入し、この状態で右側面が裏ユニット３６に近接するよう図柄表示装置１３を回転させる。そして、図柄表示装置１３の前面(収容ケース５１)を前記裏ユニット３６の設置面６０に当接させると共に、上下のロック部材６４,６４を解除位置から係止位置へ回転変位させて、該上下のロック部材６４,６４を図柄表示装置１３の対応する受け部５５,５５に当接させることで、当該図柄表示装置１３が裏ユニット３６の設置領域Ｓに固定保持される(図５参照)。このとき、図柄表示装置１３の前面が、前記設置面６０に当接すると共に、該図柄表示装置１３の後面(受け部５５,５５)が、前記上下のロック部材６４,６４に当接することで、当該図柄表示装置１３の前後移動が規制される。また、図柄表示装置１３の右側面が、前記右側壁部５９に当接すると共に、該図柄表示装置１３の左側面が、前記左側壁部５８に形成した当接案内片６１の当接面６１ａに当接することで、当該図柄表示装置１３の左右移動が規制される。更に、前記図柄表示装置１３の上面が、前記上壁部５６に当接すると共に、該図柄表示装置１３の下面が、前記下壁部５７に当接することで、当該図柄表示装置１３の上下移動が規制される。
【００９１】
一方、前記遊技盤３３(裏ユニット３６)から図柄表示装置１３を取外すには、前記上下のロック部材６４,６４を係止位置から解除位置に回転変位させて、該上下のロック部材６４,６４を図柄表示装置１３の対応する受け部５５,５５から離間させ、この状態で、図柄表示装置１３の右側面側が後方に移動するよう回転させる。そして、前記図柄表示装置１３の左側面に形成した一対の係止突部５１ａ,５１ａを、前記裏ユニット３６の左側壁部５８に形成した対応の差込み口５８ａ,５８ａから抜き出すことで、当該図柄表示装置１３が裏ユニット３６の設置領域Ｓから取外される。このように、図柄表示装置１３を遊技盤３３(裏ユニット３６)に取付ける際には、遊技盤３３(裏ユニット３６)に設けた差込み口５８ａ,５８ａに、図柄表示装置１３の係止突部５１ａ,５１ａを挿入したもとで、図柄表示装置１３の収容ケース５１を設置面６０に当接させてロック部材６４,６４を係止位置に回転変位させるだけでよく、反対に図柄表示装置１３を遊技盤３３(裏ユニット３６)から取外す際には、ロック部材６４,６４を解除位置に変位させて差込み口５８ａ,５８ａから係止突部５１ａ,５１ａを抜き出すだけでよいから、重量の嵩む図柄表示装置１３であっても容易に着脱作業を行ない得る。
【００９２】
(ロック部材の操作について)
前記設置領域Ｓの設置面６０に前面を当接した図柄表示装置１３を固定するために解除位置のロック部材６４を係止位置に向けて回転変位すると、前記当接面部６９に設けられている規制突部７３が前記台座部６２の係止凹部６７に当接係止されて、該ロック部材６４は係止位置に位置決めされる。また、ロック部材６４が係止位置に至る直前に、前記当接面部６９の角部が前記台座部６２に設けた規制片６８に当接してこれを弾性変形させつつ回転する際に加わる負荷に対し、該角部が規制片６８から離間することで負荷が軽減することで、作業者はロック部材６４が係止位置に至ったことを判断できる。すなわち、作業者はロック部材６４が係止位置に至ったことを把握でき、ロック部材６４を回し過ぎて該ロック部材６４や台座部６２を破損してしまうのを防止し得る。更に、実施例のロック部材６４は、２本のネジを介して台座部６２に固定される固定金具６５を介して回動自在に保持される構成であるから、係止位置において図柄表示装置１３からロック部材６４に加わる負荷に対する耐久性が高く、長期に亘って図柄表示装置１３を設置領域Ｓに保持し得る。すなわち、パチンコ機１０または遊技盤３３の運搬や外枠１１に対する中枠１２の開閉により振動が発生しても、図柄表示装置１３が前後方向に移動するのを極力抑制することができる。言い替えるなら、図柄表示装置１３自体が振動し難くなっており、従って、図柄表示装置１３の裏側に配設される前記表示制御装置５２や統括制御装置５４等の振動も抑制されて、各装置５２,５４の基板７５,７６,７７,７８,１０２に実装されている各種電子部品の振動に起因する不良の発生を抑制し得る。
【００９３】
また、前記ロック部材６４を係止位置から解除位置に回転変位した際には、前記台座部５２の規制片６８に前記当接面部６９の側端縁が当接することで回転が規制されて、該ロック部材６４は解除位置に位置決めされる。すなわち、ロック部材６４の回転が規制されることで、作業者はロック部材６４が解除位置に至ったことを把握できる。
【００９４】
(変更例)
本願は前述した実施例の構成に限定されるものではなく、その他の構成を適宜に採用することができる。
１.実施例では、表示制御装置と統括駆動装置とを前後方向に重ねて配設したが、前後方向に重ねる制御装置としては、これに限らず、例えば表示制御装置の後側に統括制御装置を配設したり、または統括制御装置の後側に統括駆動装置を配設する等、制御装置が行なう制御に関係なく、前後方向に重ねて配設される制御装置の少なくとも前側に位置する制御装置のケース体にリブや突部が設けられるものであればよい。
２.ケース体(カバー部材)に形成されるリブについては、形成数や縦横の間隔等は任意に設定すればよく、例えば電子部品が集中する部位において密に設け、電子部品が殆どない部位において粗に設ける等、収容される基板の配設位置や電子部品の実装位置に合わせて設定すればよい。
３.実施例では、統括駆動基板(後側に位置する制御装置の基板)における第３ケース体(ケース体)で覆われていない部位にソケットを設けた構成としたが、第３ケース体で覆われる位置にソケットを設け、第３ケース体の該ソケットに対応する位置に設けた挿通口を介してソケットが露出するようにしたものであってもよい。
４.実施例では、弾性体の各保持部の内側と外側に分かれた位置の夫々に突起を設けたが、突起の形成位置や数等は任意に変更可能であり、また突起の形状についても、接触する対象物に対する接触面積を小さくし得るものであればよい。
５.取付手段の支持部とベース部材との離間間隔を一定に保持する間隔保持手段として、実施例ではベース部材に突設した配設ボスを用いたが、取付手段として機能するフランジ付きネジを間隔保持手段として採用することもできる。この場合は、フランジ付きネジの支持部における弾性体の第１突起との接触面に、軸部を延設する共に、該軸部の延出端に軸部より小径のネジ部を設ける。これに対し、ベース部材には該ネジ部が螺挿されるネジ孔を設ける。この構成においては、弾性体の通孔に軸部を挿通したフランジ付きネジの弾性体の通孔から突出しているネジ部をベース部材のネジ孔に螺挿した際に、前記軸部の延出端がベース部材の前壁に当接して、該ベース部材と支持部との離間間隔を一定に保持することができる。従って、フランジ付きネジにおける軸部の軸方向長さを、弾性体の軸方向の長さ寸法と略同一に設定することで、フランジ付きネジを介してベース部材に弾性体を取付けた状態で、実施例と同様に弾性体の第１突起および第２突起を対応する支持部およびベース部材に対して点接触するか、または僅かに潰れた状態で接触するようにし得る。
６.実施例では、弾性体を金属板材に取付ける装着部として、設置板の端縁に入口部が開口していない形態の第２装着部を形成したが、全ての装着部の入口部を設置板の何れかの端縁に開口する形態(実施例の第１装着部)としたり、全ての装着部の入口部が設置板の端縁に開口していない形態(実施例の第２装着部)とすることができる。
７.実施例では、金属板材として、設置板の各端縁に後方に折曲した辺部を夫々形成した形態としたが、設置板のみの形態を採用することができ、この場合における各基板の固定部としては、設置板から立上がる取付片や固定ボスとすればよい。
８.実施例では、遊技盤の裏側に配設される図柄表示装置に各種制御装置を前後に重ねて配設したが、該制御装置が配設される取付部材としては図柄表示装置に限らず、遊技盤(裏ユニット)に直に制御装置を前後に重ねた配設するものであってもよく、この場合は遊技盤(裏ユニット)自体が取付部材として機能する。
９.実施例では、遊技盤として透明板と裏ユニットとを組み付けた、所謂透明遊技盤を挙げたが、非透明な木製等の遊技盤であってもよい。
１０．実施例では、遊技機としてパチンコ機を例示して説明したが、これに限られるものではなく、アレンジボール機やピンボール機等の従来公知の各種遊技機を採用し得る。
【符号の説明】
【００９５】
１３  図柄表示装置(取付部材)
５２  表示制御装置(制御装置)
７５  表示制御基板(基板)
７６  表示データ基板(基板)
７９  第１ケース体(ケース体)
８９  後壁(壁)
８９ｂ  突部
９９  第１リブ(リブ)
１００  第２リブ(別のリブ)
１０４  統括駆動装置(別の制御装置)
１０５  統括駆動基板(基板)
１０６  第３ケース体(ケース体)
１０９  中継用ソケット(ソケット)
１０９ａ  接続口
１１７  弾性体合部
１３９  制御用ＲＯＭ(電子部品)
１４０  ＣＰＵ(電子部品)
【図１】
2010227425.tif 000003
【図２】
2010227425.tif 000004
【図３】
2010227425.tif 000005
【図４】
2010227425.tif 000006
【図５】
2010227425.tif 000007
【図６】
2010227425.tif 000008
【図７】
2010227425.tif 000009
【図８】
2010227425.tif 000010
【図９】
2010227425.tif 000011
【図１０】
2010227425.tif 000012
【図１１】
2010227425.tif 000013
【図１２】
2010227425.tif 000014
【図１３】
2010227425.tif 000015
【図１４】
2010227425.tif 000016
【図１５】
2010227425.tif 000017
【図１６】
2010227425.tif 000018
【図１７】
2010227425.tif 000019
【図１８】
2010227425.tif 000020
【図１９】
2010227425.tif 000021
【図２０】
2010227425.tif 000022
【図２１】
2010227425.tif 000023
【図２２】
2010227425.tif 000024
【図２３】
2010227425.tif 000025